(57)【特許請求の範囲】
【請求項１】
床面に対峙する吸気口を有する本体部と、前記本体部内に設置される電装部材と、前記本体部に対して所定方向に回動可能に支持される第１連結部材と、第１連結部材に対して前記所定方向と直交する方向に回動可能に支持される第２連結部材と、第１、第２連結部材内を連通して設けられるとともに第２連結部材の支持部分において第２連結部材の回動軸と直交する内部通路と、第１、第２連結部材に内装されて前記電装部材に接続される導線とを備えた電気掃除機用吸込口体において、
前記導線が第１連結部材または第２連結部材の回動の略中心を通るようにしたことを特徴とする電気掃除機用吸込口体。
【請求項２】
第２連結部材を回動可能に支持する第１連結部材の支持部分を径方向内側に湾曲して形成される溝部が第２連結部材の回動中心を越えて設けられており、前記溝部に前記導線を配することにより、前記導線が第２連結部材の回動の略中心を通ることを特徴とする請求項１に記載の電気掃除機用吸込口体。
【請求項３】
第１連結部材の回動に応じて前記本体部内を摺動して回動するシャッターを設け、第１連結部材の回動中心となるシャッターの軸部に沿って前記導線を配することにより、前記導線が第１連結部材の回動の略中心を通ることを特徴とする請求項１又は請求項２に記載の電気掃除機用吸込口体。
【請求項４】
前記シャッターの軸部に貫通孔又は溝部を設け、前記貫通孔又は溝部に前記導線を配することにより、前記導線が第１連結部材の回動の略中心を通ることを特徴とする請求項３に記載の電気掃除機用吸込口体。
【請求項５】
前記内部通路に前記導線を配し、前記吸気口と連通する吸気通路を第１、第２連結部材と別体に設けたことを特徴とする請求項１〜請求項４のいずれかに記載の電気掃除機用吸込口体。
【請求項６】
前記内部通路を前記吸気口と連通させたことを特徴とする請求項１〜請求項４のいずれかに記載の電気掃除機用吸込口体。
【請求項７】
前記内部通路に沿って前記導線が通る導線通路を前記内部通路と隔離して設けたことを特徴とする請求項６に記載の電気掃除機用吸込口体。
【請求項８】
請求項１〜請求項７のいずれかに記載の電気掃除機用吸込口体を備えたことを特徴とする電気掃除機。
【発明の詳細な説明】
【０００１】
【発明の属する技術分野】
本発明は、移動方向に応じて本体ケースの向きを変えて隙間掃除等を行うことのできる電気掃除機用吸込口体及び電気掃除機に関する。
【０００２】
【従来の技術】
従来の電気掃除機用吸込口体を図２０に示す。電気掃除機用吸込口体（以下「吸込口体」という）１は本体ケース２の連結部２ａに第１連結部材５が矢印Ｄ１方向に回動可能に支持されており、第２連結部材６は第１連結部材５に矢印Ｄ２方向に回動可能に支持されている。第２連結部材６には長尺の延長パイプ７が接続され、第１、第２連結部材５、６内を通った吸気が電気掃除機本体に導かれるようになっている。
【０００３】
従って、第１連結部材５のＤ１方向の回動によって吸込口体１を矢印Ｂ方向に移動させる時の延長パイプ７の仰角を変更することができる。そして、第２連結部材６をＤ２方向に回動させることにより、吸込口体１を矢印Ｃ方向に移動させる時の延長パイプ７の仰角を変更できるようになっている。
【０００４】
また、本体ケース２の連結部２ａの両側面に車輪９が設けられており、床面上を転がって吸込口体１を移動させるようになっている。本体ケース２の底面には吸気口（不図示）が設けられ、吸気口から矢印Ａ１方向に取り込まれた吸気は、連結部２ａの方向に矢印Ａ２のように進行し、第１、第２連結部材５、６を矢印Ａ３、Ａ４、Ａ５のように通り、延長パイプ７を通って電気掃除機本体に至るようになっている。
【０００５】
通常の掃除の際には図２１の（ａ）に示すように、第１、第２連結部材５、６は上面から視て一直線上に配され、矢印Ｂ方向に吸込口体１が移動されて吸塵が行われる。そして、家具の隙間などの幅の狭い部分を掃除するときは図２１の（ｂ）に示すように第２連結部材６が回動され、矢印Ｃ方向に吸込口体１が移動されて吸塵が行われる。
【０００６】
また、本体ケース２には電動式の回転ブラシ（不図示）が吸気口に臨んで横設されている。前記回転ブラシはモータにより回転駆動され、モータは本体ケース２に内装されている。図２２に示すように、電気掃除機本体からモータに電力を供給するために、吸込口体１内には導線１８が配されている。導線１８は電気掃除機本体からの電力を取込む電源端子１９に接続され、第２連結部材６に設けられた開口部６ｂに挿通される。
【０００７】
そして、第１、第２連結部材５、６の吸気路５ａ、６ａ内を通って、モータ（不図示）に接続される。導線１８は、第１、第２連結部材５、６の内壁に固着される固着部１８ａ、１８ｂと、固着されない可動部１８ｃを有している。可動部１８ｃは第２連結部材６のＤ２方向の回動によって導線１８に引張り力が加わらないように弛ませて設けられている。
【０００８】
【発明が解決しようとする課題】
しかしながら、上記の従来の電気掃除機用吸込口体によると、第２連結部材６の回動の度に、導線１８は可動部１８ｃの両端部１８ｄ、１８ｅにおいて屈曲される。また、可動部１８ｃは導線１８が弛んでいるため、矢印Ａ４、Ａ５（図２０参照）のように吸気路５ａ、６ａを通る吸気に曝されて揺動する。これらにより、電気掃除機用吸込口体を長期間使用すると導線１８の断線が発生する恐れがあった。
【０００９】
また、電動式の回転ブラシだけでなく、他の電装部材を本体ケース２内に配する場合も同様に導線１８の断線が発生する危険があり、電装部材を本体ケース２内に配することが困難であった。
【００１０】
本発明は、断線を防止して内部に導線を配することのできる電気掃除機用吸込口体及び電気掃除機を提供することを目的とする。
【００１１】
【課題を解決するための手段】
上記目的を達成するために本発明の電気掃除機用吸込口体は、床面に対峙する吸気口を有する本体部と、前記本体部内に設置される電装部材と、前記本体部に対して所定方向に回動可能に支持される第１連結部材と、第１連結部材に対して前記所定方向と直交する方向に回動可能に支持される第２連結部材と、第１、第２連結部材内を連通して設けられるとともに第２連結部材の支持部分において第２連結部材の回動軸と直交する内部通路と、第１、第２連結部材に内装されて前記電装部材に接続される導線とを備えた電気掃除機用吸込口体において、前記導線が第１連結部材または第２連結部材の回動の略中心を通るようにしたことを特徴としている。
【００１２】
この構成によると、第１連結部材と第２連結部材との連結部分で内部通路が一
直線上に配されるとともに、内部通路が屈曲するように第２連結部材が回動可能になっている。導線は第１、第２連結部材内を通って電装部材に接続される。これにより、電装部材に電力が供給されるようになっている。また、第１連結部材または第２連結部材の回動によって必要な導線の長さは変化せず、内部通路内で導線を弛ませる必要がない。
【００１３】
また本発明の電気掃除機用吸込口体は、上記構成の電気掃除機用吸込口体において、第２連結部材を回動可能に支持する第１連結部材の支持部分を径方向内側に湾曲して形成される溝部が第２連結部材の回動中心を越えて設けられており、前記溝部に前記導線を配することにより、前記導線が第２連結部材の回動の略中心を通ることを特徴としている。
【００１４】
また本発明の電気掃除機用吸込口体は、上記構成の電気掃除機用吸込口体において、第１連結部材の回動に応じて前記本体部内を摺動して回動するシャッターを設け、第１連結部材の回動中心となるシャッターの軸部に沿って、或いは軸部に設けられた貫通孔又は溝部に前記導線を配することにより、前記導線が第１連結部材の回動の略中心を通ることを特徴としている。
【００１５】
また本発明の電気掃除機用吸込口体は、上記構成の電気掃除機用吸込口体において、前記内部通路に前記導線を配し、前記吸気口と連通する吸気通路を第１、第２連結部材と別体に設けたことを特徴としている。
【００１６】
また本発明の電気掃除機用吸込口体は、上記構成の電気掃除機用吸込口体において、前記内部通路を前記吸気口と連通させたことを特徴としている。この構成によると、導線は第１、第２連結部材内を通って電装部材に接続される。吸気口からの吸気は、内部通路を通って電気掃除機本体に導かれる。
【００１７】
また本発明の電気掃除機用吸込口体は、上記構成の電気掃除機用吸込口体において、前記内部通路に沿って前記導線が通る導線通路を前記内部通路と隔離して設けたことを特徴としている。この構成によると、導線は内部通路に沿って隔離して形成される導線通路を通り、電装部材に接続される。吸気口からの吸気は、内部通路を通って電気掃除機本体に導かれる。
【００１９】
また本発明の電気掃除機は、上記構成の電気掃除機用吸込口体を備えたことを特徴としている。
【００２０】
【発明の実施の形態】
以下に本発明の実施形態を図面を参照して説明する。説明の便宜上、従来例の図２０〜図２２と同一の部分については同一の符号を付している。図１は第１実施形態の電気掃除機用吸込口体を搭載する電気掃除機を示す概略斜視図である。
【００２１】
電気掃除機本体１０には吸気を発生させる電動送風機（不図示）が内部に配されている。電気掃除機本体１０に連結される吸引ホース９は前記電動送風機による吸気が通り、端部に連結部８が一体化されている。連結部８には使用者が清掃時に把持する取っ手部１１が設けられている。取っ手部１１には使用者が操作を行うとともに、運転状態等が表示される操作部１２設けられている。
【００２２】
連結部８により吸引ホース９は延長パイプ７に連結されている。図２に示すように、取っ手部１１は軸部１１ａを中心に回動可能になっており、取っ手部１１を破線１１’のように回動すると、延長パイプ７を脱着できるようになっている。延長パイプ７には吸込口体１が接続されている。
【００２３】
吸引ホース９及び延長パイプ７の内部には電気掃除機本体１０内に設けられる電源供給部（不図示）に接続される導線（不図示）が配されている。図３に示すように、延長パイプ７の先端には該導線と導通する端子部７ｂが凹設されている。吸込口体１には電源端子１９が設けられ、第２連結部６を接続口７ａに挿入することにより、端子部７ｂと電源端子１９が導通するようになっている。
【００２４】
吸込口体１は、本体ケース２と、図４に示すように本体ケース２に対してＤ１方向に回動可能に支持される第１パイプ５と、図５に示すように第１パイプ５に対してＤ２方向に回動可能に支持される第２パイプ６とを有している。
【００２５】
本体ケース２は図６に示すように、上ケース３と下ケース４に覆われている。上ケース３には第１パイプ５が摺動する断面円弧状の連結部３ａが設けられている。連結部３ａには第１パイプ５が回動可能なように開口部３ｂが形成されている。下ケース４の底面には床面に対峙する吸気口４ａが設けられ、吸気口４ａに臨んで回転ブラシ１５が横設されている。回転ブラシ１５はベルト１７を介してモータ１６により回転駆動されるようになっている。
【００２６】
吸込口体１の断面図を図７に示し、要部の分解斜視図を図８に示す。第１連結部材５の摺動部５ｄは、上ケース３の連結部３ａと断面円弧状のシャッター２０により挟持されている。これにより、第１連結部材５はシャッター２０の外面と上ケース３の連結部３ａの内面との間を摺動して回動できるようになっている。
【００２７】
シャッター２０の側壁には軸部２０ｄが突設されている。軸部２０ｄは、上ケース３及び下ケース４に設けられる支持部３ｃ、４ｂ（図６参照）により支持され、シャッター２０が回動自在になっている。また、シャッター２０の前端と後端には係合部２０ｅ、２０ｆが形成されている。
【００２８】
第１連結部材５を立設させる際には、摺動部５ｄがシャッター２０の係合部２０ｅに当接してシャッター２０が回動する。この時、図１０に示すように、上ケース３の開口部３ｂは摺動部５ｄ及び後方遮蔽部２０ｈにより閉塞される。
【００２９】
また、第１連結部材５を横設させる際には、摺動部５ｄがシャッター２０の係合部２０ｆに当接してシャッター２０が回動する。この時、図１１に示すように、上ケース３の開口部３ｂは摺動部５ｄ及び前方遮蔽部２０ｇにより閉塞される。従って、第１連結部材５を水平から垂直まで回動させても、吸気口４ａから侵入する吸気が開口部３ｂから漏れないようになっている。
【００３０】
また、係合部２０ｅ、２０ｆに替えて、図９に示すように、第１連結部材５に突起部５ｇを設け、シャッター２０に突起部５ｇに嵌合する案内溝２０ｊを設けてもよい。このようにしても第１連結部材５の回動に伴って、シャッター２０を回動させることができる。更に、第１連結部材５の矢印Ｊ方向の位置規制も可能となる。
【００３１】
図８において、シャッター２０及び第１連結部材５には吸気路２０ａ、５ａ（内部通路）が設けられ、夫々隔壁２０ｃ、５ｃを介して隔離される導線通路２０ｂ、５ｂが形成されている。
【００３２】
図７において、第２連結部材６は吸気が通る吸気路６ａ（内部通路）を有し、前述の延長パイプ７に連通するようになっている。また、第２連結部材６はカバー６ｄを有している。カバー６ｄには前述の電源端子１９が設けられている。カバー６ｄ及び第２連結部材６の底板６ｇには円形の凹部６ｅが形成されている。
【００３３】
また、第１連結部材５の両面には円形の凸部５ｅが形成されている。そして、凹部６ｅと凸部５ｅとが嵌合して第１連結部材５がカバー６ｄ及び底板６ｇに挟持され、ビス２２により一体化されている。これにより、第２連結部材６は第１連結部材５に対して回動可能に支持されている。
【００３４】
電源端子１９には導線１８が接続されている。導線１８は第２連結部材６に設けられた開口部６ｂに挿通される。そして、第１、第２連結部材５、６の吸気路５ａ、６ａ内を通って、モータ１６に接続される。導線１８は、第１、第２連結部材５、６の内壁に固着される固着部１８ａ、１８ｂと固着されない可動部１８ｃを有している。
【００３５】
可動部１８ｃは第２連結部材６のＤ２方向の回動によって導線１８に引張り力が加わらないようにするために設けられている。固着部１８ａの端部Ｅ１は第２連結部材６の回動の略中心になっている。この為、第２連結部材６を第１連結部材５に対して回動させても固着部１８ａの端部Ｅ１と固着部１８ｂの端部Ｅ２との距離は変化しない。従って、可動部１８ｃを緊張させていても第２連結部材６の回動によって可動部１８ｃには引張り力が加わらないようになっている。
【００３６】
また、導線１８は、固着部１８ａの他方の端部Ｅ３から図８に示すように隔壁５ｃに設けられた開口部（不図示）を介して導線通路５ｂに挿通される。そして、シャッター２０の導線通路２０ｂを通ってモータ１６に接続されている。
【００３７】
上記構成の電気掃除機によると、操作部１２の操作により電動送風機（不図示）が駆動され、吸気が発生する。また、延長パイプ７、吸引ホース９内の導線を介して電源供給部（不図示）に接続される電源端子１９は導線１８によりモータ１６と導通し、モータ１６が駆動される。
【００３８】
これにより回転ブラシ１５が回転し、床面の塵埃が掻上げられる。塵埃は吸気とともに吸気口４ａから吸引され、吸気路２０ａ、５ａ、６ａ、延長パイプ７、吸引ホース９を通って電気掃除機本体１０に導かれて集塵される。
【００３９】
また、前述の図１１のように第１連結部材５を横設することにより、ベッドの下等の隙間を掃除することができ、前述の図１０のように第１連結部材５を立設した状態から第２連結部材６をＤ２方向に回動させることにより、家具の隙間などの幅の狭い部分の掃除を行うことができる。
【００４０】
本実施形態によると、第１連結部材５に支持される第２連結部材６の支持部分において、第１連結部材５の吸気路５ａは第２連結部材６の回動軸Ｆ（図７参照）に対して垂直になっている。この為、第１連結部材５の吸気路５ａと、第２連結部材６の吸気路６ａとが一直線状に配され、第２連結部材６の回動による導線１８の屈曲は固着部１８ａの端部Ｅ１だけになる。これにより、従来よりも屈曲部分を減らすことができる。
【００４１】
また、第２連結部材６を回動させても固着部１８ａの端部Ｅ１と固着部１８ｂの端部Ｅ２との距離は変化しない為、可動部１８ｃを緊張させていても第２連結部材６の回動によって可動部１８ｃには引張り力が加わらない。従って、導線１８は吸気に曝された場合の揺動を防止できる。
【００４２】
また、固着部１８ａの端部Ｅ３とモータ１６との間は第１連結部材５の回動により距離が変化するため導線１８を弛ませておく必要があるが、導線１８を吸気路５ａ、２０ａと隔離される導線通路５ｂ、２０ｂに挿通させているので、吸気に曝されることによる揺動や塵埃と接触することによる損傷が発生しない。これらにより、導線１８の断線を防止することができる。
【００４３】
次に、図１２に第２実施形態の電気掃除機用吸込口体の側面断面図を示す。図１〜図１１の第１実施形態と同一の部分には同一の符号を付している。第１実施形態と異なる点は、導線１８が挿通される導線通路６ｈ、６ｐを吸気路５ａ、６ａと隔離された外側に設けている点である。その他の部分については第１実施形態と同様である。
【００４４】
図１３に吸込口体１の要部の分解斜視図を示すと、第２連結部材６には電源端子１９及び導線１８が配される導線通路６ｈが形成され、カバー６ｄに覆われるようになっている。カバー６ｄの上面には導線通路６ｐが凹設され、導線通路６ｐを覆う円形カバー２３が設けられている。導線通路６ｈと導線通路６ｐは貫通孔６ｎにより連通している。
【００４５】
導線通路６ｈ、６ｐには導線支持部６ｊ、６ｋが形成され、導線１８を固定するようになっている。導線通路６ｐの周縁の一部には、円弧状の長孔６ｍが形成されている。また、カバー６ｄ及び第２連結部材６の底板６ｇには円形の凹部６ｅが形成され、第１連結部材５に形成される円形の凸部５ｅと嵌合してカバー６ｄ及び底板６ｇに第１連結部材５が挟持されている。これにより、第２連結部材６が回動できるようになっている。
【００４６】
第１連結部材５の凸部５ｅの一部は径方向内側に湾曲して溝部５ｊが形成されている。また、凸部５ｅの外側の一部には周面に沿って溝部５ｊに繋がる溝部５ｋが形成されている。第１連結部材５に設けられる導線通路５ｂは溝部５ｋと連通している。
【００４７】
また、シャッター２０には第１実施形態のような導線通路２０ｂ（図８参照）を設けておらず、シャッター２０の外側を導線１８が通るようになっている。これによりシャッター２０の幅が狭くなるため、隔壁板２４が設けられ、隔壁板２４に設けられた孔部２４ａにシャッター２０の軸部２０ｄが挿通されるようになっている。そして隔離板２４によりシャッター２０の矢印Ｊ方向の移動を規制するようになっている。
【００４８】
上記構成の吸込口体１において、図１３及び図１４の断面図に示すように電源端子１９に接続される導線１８は支持部６ｊにより位置決めされ、導線通路６ｈから貫通孔６ｎを介して導線通路６ｐに挿通される。そして、支持部６ｋで支持されて長孔６ｍを介して溝部５ｊ、５ｋ、導線通路５ｂを通りモータ１６に接続されている。従って、溝部５ｊ、５ｋも導線通路となっている。
【００４９】
本実施形態によると、第２連結部材６の回動による導線１８の屈曲は支持部６ｋの部分のみである。この為、従来よりも屈曲部分を減らすことができる。また、第１連結部材５に支持される第２連結部材６の支持部分において、第１連結部材５の吸気路５ａは第２連結部材６の回動軸Ｆに対して垂直になっている。これにより、吸気路５ａ、６ａが一直線状に配されるため、導線通路６ｈ、６ｐを吸気路５ａ、６ａに沿って簡単かつ省スペースに設けることができる。
【００５０】
従って、支持部６ｋと長孔６ｍとの間の導線１８は第２連結部材６の回動により必要な長さが変化するため弛ませておく必要があるが、導線通路６ｈ、６ｐは吸気路５ａ、６ａと隔離されているため、導線１８が吸気に曝されず揺動が発生しない。また、塵埃と接触することによる損傷も発生しない。
【００５１】
更に第１実施形態と同様に、導線通路５ｂとモータ１６との間の導線１８は第１連結部材５の回動により必要な長さが変化するため弛ませておく必要があるが、導線１８を吸気路５ａ、２０ａと隔離される導線通路５ｂに挿通させることにより吸気に曝されて揺動することがない。また、塵埃と接触することによる損傷も発生しない。これらにより、導線１８の断線を防止することができる。
【００５２】
次に、第３実施形態の電気掃除機用吸込口体について図面を参照して説明する。本実施形態の電気掃除機用吸込口体の側面断面図は第２実施形態の図１２と同様であり、要部の分解斜視図を図１５に示す。尚、図１２〜図１４の第２実施形態と同一の部分には同一の符号を付している。第２実施形態と異なる点は、第１連結部材５の溝部５ｊを第１連結部材５の回動中心を越えて延長して設けている点である。その他の部分については第２実施形態と同様である。
【００５３】
本実施形態によると、溝部５ｊが第１連結部材５の回動中心を通るように設けられているので、導線１８が第２連結部材６と一体の導線通路６ｐから第１連結部材５と一体の溝部５ｊに至るまでの間、第２連結部材６の回動の略中心を通ることができる。
【００５４】
この為、第２連結部材６の回動によって必要な導線１８の長さは変化せず、第２実施形態のように導線通路６ｐ内で導線１８を弛ませる必要がない。従って、弛んだ導線１８が引っ掛かって導線１８に引張り力が加わる危険を回避することができるため、第２実施形態の効果に加えて更に断線を防止することができる。
【００５５】
また、図１６に示すように、導線通路２０ｂを通る導線１８を第１連結部材５の回動中心となるシャッター２０の軸部２０ｄに沿うように配すると、第１連結部材５の回動によっても必要な導線１８の長さは変化しない。従って、導線１８に引張り力が加わる危険を回避して、より断線を防止する効果が大きくなる。
【００５６】
図１７及び図１８に示すように、シャッター２０の軸部２０ｄに貫通孔２０ｇまたは溝部２０ｈを設け、貫通孔２０ｇまたは溝部２０ｈに導線１８を通すと、第１連結部材５の回動中心に更に近づけることができるのでより望ましい。
【００５７】
次に、図１９は第４実施形態の電気掃除機用吸込口体を備える電気掃除機を示す側面断面図である。本電気掃除機は、いわゆるアップライト型電気掃除機である。アップライト電気掃除機は掃除機本体３３と、掃除機本体３３に一体に支持されるハンドル体３２と、掃除機本体３３の下方に取り付けられる吸込口体１とから成っている。
【００５８】
吸込口体１は本体ケース２、本体ケース２に対してＤ１方向に回動可能に支持される第１連結部材５及び第１連結部材５に対してＤ２方向に回動可能に支持される第２連結部材６を有している。第２連結部材６は掃除機本体３３に一体に形成されている。第１連結部材５に対する第２連結部材６の支持方法は前述の図８に示す第１実施形態と同様である。
【００５９】
本体ケース２は上ケース３及び下ケース４により外形が形成され、上ケース３には第１パイプ５が摺動する断面円弧状の連結部３ａが設けられている。連結部３ａには第１パイプ５が回動可能なように開口部３ａが形成されている。下ケースの底面には床面に対峙する吸気口４ａが設けられ、吸気口４ａに臨んで回転ブラシ１５が横設されている。回転ブラシ１５はベルト（不図示）を介してモータ１６により回転駆動されるようになっている。
【００６０】
掃除機本体３３の下部には電動送風機３６が配されている。電動送風機３６の駆動により吸気口４ａから取入れられる吸気は、吸引ホース３１を介して集塵室３４に導かれる。そして、吸気に含まれる塵埃は集塵袋３５に集められ、塵埃を除去された空気が電動送風機３６を冷却して排気口３７から排気されるようになっている。
【００６１】
また、掃除機本体３３から第１連結部材５の内部通路５ａ’を通る導線１８によりモータ１６に電力が供給され、回転ブラシ１５が回転して床面の塵埃を掻上げるようになっている。
【００６２】
本実施形態によると、第１連結部材５に支持される第２連結部材６の支持部分において、第１連結部材５の内部通路５ａ’は第２連結部材６の回動軸Ｆに対して垂直になっている。この為、内部通路５ａ’を通る導線１８は第２連結部材６の回動によって回動中心付近で屈曲するだけになる。
【００６３】
また、吸気口４ａからの吸気は内部通路５ａ’と別体に設けられた吸引ホース３１を通るため、内部通路５ａ’を通る導線１８が吸気に曝されることなく吸気による揺動が発生しない。また、塵埃と接触することによる損傷が発生しない。これらにより、導線１８の断線を防止することができる。
【００６４】
尚、第１〜第４実施形態において、第１連結部材５を第２連結部材６に対して内嵌しているが、第１連結部材５を第２連結部材６に対して外嵌してもよい。また、回転ブラシ１５駆動用のモータ１６に限らず、例えば床面のゴミを検知するゴミセンサや壁面との接触を検知する接触センサ等の他の電装部材を本体ケース２内に設置する際においても第１〜第４実施形態と同様に導線１８を配することにより、断線の発生を防止することができる。
【００６５】
【発明の効果】
本発明によると、第１連結部材に支持される第２連結部材の支持部分において、第１連結部材、第２連結部材を連通する内部通路は第２連結部材の回動軸に対して垂直になっている。この為、第２連結部材の回動による導線の屈曲部分を減らすことができる。また、吸気が通る吸気路を内部通路と別体に設けると、内部通路を通る導線が吸気に曝されることなく吸気による揺動が発生しない。また、塵埃と接触することによる損傷が発生しない。これらにより、導線の断線を防止することができる。
【００６６】
また、内部通路を吸気が通る場合であっても、第１連結部材に支持される第２連結部材の支持部分において、第１連結部材、第２連結部材を連通するの内部通路は第２連結部材の回動軸に対して垂直になっているので、第２連結部材の回動による導線の屈曲部分を減らすことができる。更に、内部通路を一直線上に配することができるので、内部通路と隔離される導線通路を内部通路に沿って簡単に且つ省スペースに形成することができ、導線を導線通路に配することで導線が吸気に曝されて揺動することがない。また、塵埃と接触することによる損傷が発生しない。従って、導線の断線を防止することができる。
【００６７】
また本発明によると、第１、第２連結部材の回動中心を導線が通るので、第１連結部材または第２連結部材を回動させても必要な導線の長さが変化せず、回動によって導線に引張り力が加わらない。この為、更に導線の断線を防止することができる。
【００６８】
また本発明によると、第１連結部材の回動に応じて回動するシャッターを設けることにより、吸気口を有する本体部に形成される開口部をシャッターにより閉塞することができ、第１連結部材の回動範囲を大きくすることができる。これにより、掃除を行う際の作業性が向上する。
【図面の簡単な説明】
【図１】本発明の第１実施形態の電気掃除機用吸込口体を搭載する電気掃除機を示す斜視図である。
【図２】本発明の第１実施形態の電気掃除機用吸込口体を搭載する電気掃除機の部分拡大図である。
【図３】本発明の第１実施形態の電気掃除機用吸込口体の接続部を示す図である。
【図４】本発明の第１実施形態の電気掃除機用吸込口体の第１連結部材の回動状態を説明する図である。
【図５】本発明の第１実施形態の電気掃除機用吸込口体の第２連結部材の回動状態を説明する図である。
【図６】本発明の第１実施形態の電気掃除機用吸込口体の本体ケースを示す分解斜視図である。
【図７】本発明の第１実施形態の電気掃除機用吸込口体を示す側面断面図である。
【図８】本発明の第１実施形態の電気掃除機用吸込口体の要部を示す分解斜視図である。
【図９】本発明の第１実施形態の電気掃除機用吸込口体の要部を示す拡大図である。
【図１０】本発明の第１実施形態の電気掃除機用吸込口体の第１連結部材の立設状態を示す側面断面図である。
【図１１】本発明の第１実施形態の電気掃除機用吸込口体の第１連結部材の横設状態を示す側面断面図である。
【図１２】本発明の第２実施形態の電気掃除機用吸込口体を示す側面断面図である。
【図１３】本発明の第２実施形態の電気掃除機用吸込口体の要部を示す分解斜視図である。
【図１４】本発明の第２実施形態の電気掃除機用吸込口体の要部を示す断面図である。
【図１５】本発明の第３実施形態の電気掃除機用吸込口体の要部を示す分解斜視図である。
【図１６】本発明の第３実施形態の電気掃除機用吸込口体のシャッター部分を示す分解斜視図である。
【図１７】本発明の第３実施形態の電気掃除機用吸込口体の他のシャッター部分を示す分解斜視図である。
【図１８】本発明の第３実施形態の電気掃除機用吸込口体の更に他のシャッター部分を示す分解斜視図である。
【図１９】本発明の第４実施形態の電気掃除機用吸込口体を示す側面断面図である。
【図２０】従来の電気掃除機用吸込口体を示す斜視図である。
【図２１】従来の電気掃除機用吸込口体の掃除時の移動方向を説明する上面図である。
【図２２】従来の電気掃除機用吸込口体を示す導線の設置状態を説明する断面図である。
【符号の説明】
１    吸込口体
２    本体ケース
２ａ  吸気通路
２ｂ  導線通路
３    上ケース
４    下ケース
５    第１連結部材
５ａ  吸気通路
５ｃ  隔壁
６    第２連結部材
６ａ  吸気通路
６ｈ、６ｐ  導線通路
７    延長パイプ
８    連結部
９    吸引ホース
１０    電気掃除機本体
１１    取っ手部
１５    回転ブラシ
１６    モータ
１７    ベルト
１８    導線
２０    シャッター
２０ａ  吸気通路
２０ｂ  導線通路
２０ｄ  軸部
３１    吸引ホース
３２    ハンドル体
３３    掃除機本体
３６    電動送風機
【図１】
0003597429.tif 000002
【図２】
0003597429.tif 000003
【図３】
0003597429.tif 000004
【図４】
0003597429.tif 000005
【図５】
0003597429.tif 000006
【図６】
0003597429.tif 000007
【図７】
0003597429.tif 000008
【図８】
0003597429.tif 000009
【図９】
0003597429.tif 000010
【図１０】
0003597429.tif 000011
【図１１】
0003597429.tif 000012
【図１２】
0003597429.tif 000013
【図１３】
0003597429.tif 000014
【図１４】
0003597429.tif 000015
【図１５】
0003597429.tif 000016
【図１６】
0003597429.tif 000017
【図１７】
0003597429.tif 000018
【図１８】
0003597429.tif 000019
【図１９】
0003597429.tif 000020
【図２０】
0003597429.tif 000021
【図２１】
0003597429.tif 000022
【図２２】
0003597429.tif 000023